(57)【要約】【課題】情報処理装置から画像形成装置を利用するためのプログラムの選択を容易化すること。【解決手段】モバイル端末２を画像処理装置１の操作部として用いる画像処理装置の制御システムであって、入力された認証情報に基づき、ユーザ情報ＤＢ１１２を参照して利用者の認証処理を行い、認証された利用者に対してユーザ情報ＤＢ１１２において関連付けられているホーム画面の情報をモバイル端末２に送信するログイン処理部１１１と、モバイル端末２において、ホーム画面の情報を受信するホーム画面情報書換部２３３と、受信されたホーム画面の情報に基づき、画像処理装置１を操作するための画面をモバイル端末２の表示部に表示させるホーム画面表示制御部２３１とを含むことを特徴とする。【選択図】図１２
2014154098.tif 000002
【特許請求の範囲】
【請求項１】
画像処理装置本体とは独立して制御される情報処理端末を画像処理装置の操作部として用いる画像処理装置の制御システムであって、
入力された認証情報に基づき、複数の利用者の情報及び前記画像処理装置を操作する際の起点となる画面の情報である起点画面情報が関連付けて登録された利用者情報を参照して利用者の認証処理を行う認証処理部と、
認証された前記利用者に対して前記利用者情報において関連付けられている前記起点画面情報に基づき、前記情報処理端末において前記起点となる画面を表示するための画面情報を前記情報処理端末に送信する画面情報送信部と、
前記情報処理端末において、前記画面情報を受信する画面情報管理部と、
受信された前記画面情報に基づき、前記起点となる画面を前記情報処理端末の表示部に表示させる画面表示処理部とを含むことを特徴とする画像処理装置の制御システム。
【請求項２】
前記画面表示処理部が前記画像処理装置を操作するための画面を前記情報処理端末の表示部に表示させる際に参照する前記画面情報が記憶される画面情報記憶部を含み、
前記画面情報管理部は、受信した前記画面情報を用いて前記画面情報記憶部に記憶されている情報を上書きし、
前記画面表示処理部は、上書きされた前記画面情報に基づいて前記起点となる画面を前記情報処理端末の表示部に表示させることを特徴とする請求項１に記載の画像処理装置の制御システム。
【請求項３】
前記画面情報管理部は、新たな前記画面情報を受信した際に、既に前記画面情報記憶部に記憶されている前記画面情報を他の記憶領域に記憶させ、認証された前記利用者による前記画像処理装置の利用の終了を検知した場合に、前記他の記憶領域に記憶させた画面情報を用いて前記画面情報記憶部に記憶されている情報を上書きすることを特徴とする請求項２に記載の画像処理装置の制御システム。
【請求項４】
前記画像処理装置に搭載されている操作部において操作の起点となる画面を表示するための情報を、前記情報処理端末において前記起点となる画面を表示させるための画面情報に変換する情報変換部を含み、
前記利用者情報は、前記複数の利用者の情報及び前記画像処理装置に搭載されている操作部において操作の起点となる画面を表示するための情報が関連付けられた情報であり、
前記情報変換部は、認証された前記利用者に対して前記利用者情報において関連付けられている前記起点画面情報を前記情報処理端末において前記起点となる画面を表示させるための画面情報に変換し、
前記画面情報送信部は、変換された前記画面情報を送信することを特徴とする請求項１乃至３いずれか１項に記載の画像処理装置の制御システム。
【請求項５】
画像処理装置本体とは独立して制御される情報処理端末を画像処理装置の操作部として用いるために前記情報処理端末に格納される制御用プログラムを含む画像処理装置の制御システムであって、
前記画像処理装置本体は、
入力された認証情報に基づき、複数の利用者の情報及び前記画像処理装置を操作する際の起点となる画面の情報である起点画面情報が関連付けて登録された利用者情報を参照して利用者の認証処理を行う認証処理部と、
認証された前記利用者に対して前記利用者情報において関連付けられている前記起点画面情報に基づき、前記情報処理端末において前記起点となる画面を表示するための画面情報を前記情報処理端末に送信する画面情報送信部とを含み、
前記制御用プログラムは、
前記画面情報を受信するステップと、
受信された前記画面情報に基づき、前記起点となる画面を前記情報処理端末の表示部に表示させるステップとを前記情報処理端末に実行させることを特徴とする画像処理装置の制御システム。
【請求項６】
画像処理装置本体とは独立して制御される情報処理端末を画像処理装置の操作部として用いるために前記情報処理端末に格納される制御用プログラムであって、
前記画像処理装置本体は、
入力された認証情報に基づき、複数の利用者の情報及び前記画像処理装置を操作する際の起点となる画面の情報である起点画面情報が関連付けて登録された利用者情報を参照して利用者の認証処理を行う認証処理部と、
認証された前記利用者に対して前記利用者情報において関連付けられている前記起点画面情報に基づき、前記情報処理端末において前記起点となる画面を表示するための画面情報を前記情報処理端末に送信する画面情報送信部とを含み、
前記画面情報を受信するステップと、
受信された前記画面情報に基づき、前記起点となる画面を前記情報処理端末の表示部に表示させるステップとを前記情報処理端末に実行させることを特徴とする画像処理装置の制御プログラム。
【発明の詳細な説明】
【技術分野】
【０００１】
本発明は、画像処理装置の制御システム及び画像処理装置の制御プログラムに関し、特に、画像処理装置本体とは独立して制御される端末を介して画像処理装置を操作するシステムに関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
他方、近年、携帯電話が高機能化され、ＰＣに準じた情報処理機能を有するスマートフォンやタブレット端末のような携帯型の情報処理装置（以降、「携帯端末」とする）の普及が進んでいる。このような携帯端末においては、ユーザ操作の起点となるホーム画面が設けられており、ホーム画面上に表示されたアイコンを操作することによって夫々のアプリケーションを利用する態様が一般的である。
【０００４】
このようなホーム画面の表示をユーザにとって利便性の高いものとするため、操作履歴に応じて推奨される態様でホーム画面を構成して表示する方法が提案されている（例えば、特許文献１参照）。
【発明の概要】
【発明が解決しようとする課題】
【０００５】
上述した携帯端末としては、タッチパネル、ＧＰＳ機能、速度センサ、無線通信機能等のインタフェースを備えた物が多く、ソフトウェア・プログラムの機能次第で様々な用途に用いることが可能である。従って、上述した画像処理装置を操作するためのディスプレイパネルとして携帯端末を用いることも考えられる。
【０００６】
ここで、オフィス等に設置されて複数のユーザによって共用されるネットワークプリンタの場合、各ユーザのログインを認証し、ログインしたユーザ毎にカスタマイズされた操作画面を構成することが従来の画像処理装置において行われている。従って、上述したように携帯端末を画像処理装置１の操作パネルとして用いる場合も、装置にログインしたユーザに応じたホーム画面を表示することが求められる。
【０００７】
しかしながら、一般的な携帯端末は個人による利用を前提として設計されているため、携帯端末を制御するための基本ソフトウェアであるＯＳ（Ｏｐｅｒａｔｉｎｇ  Ｓｙｓｔｅｍ）や、ミドルウェアの仕様によっては、態様の異なる複数のホーム画面を切り替えることが困難な場合もあり得る。
【０００８】
従って、画像処理装置に対して操作パネル用の携帯端末が専用に設けられている場合であっても、画像処理装置にログインしたユーザに応じたホーム画面を表示させることが困難な場合があり得る。また、各ユーザが個人的に利用している携帯端末を用いる場合であっても、通常利用に係る携帯端末のホーム画面と、画像処理装置の操作パネルとして用いる際のホーム画面とを切り替えて利用することが困難な場合があり得る。
【０００９】
尚、このような課題は、携帯端末を画像処理装置の操作パネルとして用いる場合に限らず、画像処理装置本体とは独立した基本ソフトウェアによって制御される端末を画像処理装置の操作パネルとして用いる場合であれば同様に発生し得る。即ち、画像処理装置本体とは独立した基本ソフトウェアによって制御される端末が、汎用的な携帯型の情報処理端末ではなく、画像処理装置の操作パネルとしてのみ用いられるように画像処理装置本体に有線で接続されるような場合であっても、同様に問題となり得る。
【００１０】
本発明は、このような課題を解決するためになされたものであり、画像処理装置本体とは独立して制御される端末を画像処理装置の操作部として用いる場合において、操作の起点となる画面の切り替えを容易化することを目的とする。
【課題を解決するための手段】
【００１１】
上記課題を解決するために、本発明の一態様は、画像処理装置本体とは独立して制御される情報処理端末を画像処理装置の操作部として用いる画像処理装置の制御システムであって、入力された認証情報に基づき、複数の利用者の情報及び前記画像処理装置を操作する際の起点となる画面の情報である起点画面情報が関連付けて登録された利用者情報を参照して利用者の認証処理を行う認証処理部と、認証された前記利用者に対して前記利用者情報において関連付けられている前記起点画面情報に基づき、前記情報処理端末において前記起点となる画面を表示するための画面情報を前記情報処理端末に送信する画面情報送信部と、前記情報処理端末において、前記画面情報を受信する画面情報管理部と、受信された前記画面情報に基づき、前記起点となる画面を前記情報処理端末の表示部に表示させる画面表示処理部とを含むことを特徴とする。
【００１２】
また、本発明の他の態様は、画像処理装置本体とは独立して制御される情報処理端末を画像処理装置の操作部として用いるために前記情報処理端末に格納される制御用プログラムを含む画像処理装置の制御システムであって、前記画像処理装置は、入力された認証情報に基づき、複数の利用者の情報及び前記画像処理装置を操作する際の起点となる画面の情報である起点画面情報が関連付けて登録された利用者情報を参照して利用者の認証処理を行う認証処理部と、認証された前記利用者に対して前記利用者情報において関連付けられている前記起点画面情報に基づき、前記情報処理端末において前記起点となる画面を表示するための画面情報を前記情報処理端末に送信する画面情報送信部とを含み、前記制御用プログラムは、前記画面情報を受信するステップと、受信された前記画面情報に基づき、前記起点となる画面を前記情報処理端末の表示部に表示させるステップとを前記情報処理端末に実行させることを特徴とする。
【００１３】
また、本発明の更に他の態様は、画像処理装置本体とは独立して制御される情報処理端末を画像処理装置の操作部として用いるために前記情報処理端末に格納される制御用プログラムであって、前記画像処理装置は、入力された認証情報に基づき、複数の利用者の情報及び前記画像処理装置を操作する際の起点となる画面の情報である起点画面情報が関連付けて登録された利用者情報を参照して利用者の認証処理を行う認証処理部と、認証された前記利用者に対して前記利用者情報において関連付けられている前記起点画面情報に基づき、前記情報処理端末において前記起点となる画面を表示するための画面情報を前記情報処理端末に送信する画面情報送信部とを含み、前記画面情報を受信するステップと、受信された前記画面情報に基づき、前記起点となる画面を前記情報処理端末の表示部に表示させるステップとを前記情報処理端末に実行させることを特徴とする。
【発明の効果】
【００１４】
本発明によれば、独立して制御される端末を画像処理装置の操作部として用いる場合において、操作の起点となる画面の切り替えを容易化することができる。
【図面の簡単な説明】
【００１５】
【図１】本発明の実施形態に係るシステムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係る画像処理装置の制御部の機能構成を示すブロック図である。
【図５】本発明の実施形態に係るユーザ情報ＤＢに含まれる情報の例を示す図である。
【図６】本発明の実施形態に係るモバイル機器の機能構成を示すブロック図である。
【図７】本発明の実施形態に係るモバイル機器の操作画面を示すブロック図である。
【図８】本発明の実施形態に係るホーム画面構成情報の例を示す図である。
【図９】本発明の実施形態に係るモバイル制御部の機能構成を示す図である。
【図１０】本発明の実施形態に係るモバイル機器の操作画面を示すブロック図である。
【図１１】本発明の実施形態に係るホーム画面構成情報の例を示す図である。
【図１２】本発明の実施形態に係るシステムの動作を示すシーケンス図である。
【図１３】本発明の実施形態に係るログイン画面の例を示す図である。
【図１４】本発明の実施形態に係るホーム情報の例を示す図である。
【図１５】本発明の実施形態に係る変換情報の例を示す図である。
【図１６】本発明の実施形態に係るシステムの動作を示すシーケンス図である。
【図１７】本発明の他の実施形態に係るシステムの運用形態を示す図である。
【発明を実施するための形態】
【００１６】
以下、図面を参照して、本発明の実施形態を詳細に説明する。本実施形態においては、スマートフォンやタブレット端末等のモバイル機器を介して画像処理装置を操作するシステムを例として説明する。
【００１７】
図１は、本実施形態に係る画像処理システムの運用形態の例を示す図である。図１に示すように、本実施形態に係る画像処理システムは、画像処理装置１及びモバイル端末２が、互いに通信可能に接続されて構成されている画像処理装置の制御システムである。
【００１８】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、モバイル端末２は、スマートフォン、タブレット端末、ＰＤＡ（Ｐｅｒｓｏｎａｌ  Ｄｉｇｉｔａｌ  Ａｓｓｉｓｔａｎｔｓ）等の可搬型の情報処理端末である。本実施形態に係るモバイル端末２は、画像処理装置１本体とは独立して制御される情報処理端末であり、画像処理装置１を提供するメーカーやサードパーティによって提供されているアプリケーション・プログラムがインストールされることにより、画像処理装置１を操作するための操作パネルとして機能する。
【００１９】
次に、本実施形態に係る画像処理システムに含まれる画像処理装置１及びモバイル端末等の情報処理装置を構成するハードウェアについて説明する。図２は、本実施形態に係る情報処理装置のハードウェア構成を示すブロック図である。図２に示すように、本実施形態に係る情報処理装置は、一般的なサーバやＰＣ（Ｐｅｒｓｏｎａｌ  Ｃｏｍｐｕｔｅｒ）等と同様の構成を含む。
【００２０】
即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００２１】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。等、ＨＤＤの他、ＳＳＤ（Ｓｏｌｉｄ  Ｓｔａｔｅ  Ｄｒｉｖｅ）等の半導体記憶装置を用いても良い。
【００２２】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが情報処理装置に情報を入力するためのユーザインタフェースである。尚、本実施形態に係るシステムにおいては、モバイル端末２が画像処理装置１の操作パネルとして機能する。従って、画像処理装置１に直接接続されるＬＣＤ６０や操作部７０等のユーザインタフェースは省略することが可能である。
【００２３】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２４】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、有線通信部１８０及び無線通信部１９０を有する。
【００２５】
また、コントローラ１００は、主制御部１０１、エンジン制御部１０２、入出力制御部１０３、画像処理部１０４及び操作表示制御部１０５を有する。図３に示すように、本実施形態に係る画像処理装置１は、スキャナユニット１２０、プリントエンジン１６０を有する複合機として構成されている。尚、図３においては、電気的接続を実線の矢印で示しており、用紙の流れを破線の矢印で示している。
【００２６】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ディスプレイパネル１４０は、図２において説明したＬＣＤ６０及び操作部７０によって実現されるが、上述したようにモバイル端末２のみを画像処理装置１のユーザインタフェースとし、ディスプレイパネル１４０は省略することが可能である。また、上述したモバイル端末２に替えて、画像処理装置１本体とは独立した基本ソフトウェアによって制御される情報処理端末が、画像処理装置１における上記入力インタフェース（操作部）としてのみ用いられるように固定的に画像処理装置１本体に有線で接続されるようなものであっても良い。
【００２７】
有線通信部１８０は、画像処理装置１が有線通信により他の機器と通信するためのインタフェースであり、Ｅｔｈｅｒｎｅｔ（登録商標）やＵＳＢインタフェースが用いられる。無線通信部１９０は、画像処理装置１が無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。画像処理装置１は、有線通信部１８０若しくは無線通信部１９０を用いてモバイル端末２との間で情報をやり取りする。尚、上記モバイル端末２に代えて画像処理装置１本体に有線で接続された情報処理端末の場合、この情報処理端末が有線通信部１８０若しくは無線通信部１９０を用いて画像処理装置１本体との間で情報をやり取りすることになる。
【００２８】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２９】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、有線通信部１８０、無線通信部１９０を介して入力される信号や命令を主制御部１０１に入力する。また、主制御部１０１は、入出力制御部１０３を制御し、有線通信部１８０や無線通信部１９０を介してモバイル端末２等の他の装置にアクセスする。
【００３０】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくは有線通信部１８０や無線通信部１９０を介して他の機器に送信される情報である。操作表示制御部１０５は、ディスプレイパネル１４０に情報表示を行い若しくはディスプレイパネル１４０を介して入力された情報を主制御部１０１に通知する。
【００３１】
尚、プリンタ機能のみを有する画像処理装置の場合、図３に示すＡＤＦ１１０、スキャナユニット１２０及び排紙トレイ１３０が省略されると共に、エンジン制御部１０２の機能から、ＡＤＦ１１０、スキャナユニット１２０及び排紙トレイ１３０を制御するための機能が省略される。
【００３２】
画像処理装置１がプリンタとして動作する場合は、まず、入出力制御部１０３が有線通信部１８０や無線通信部１９０を介して印刷ジョブを受信する。この印刷ジョブは、画像処理装置１に対してプリントアウトを依頼する情報処理装置において生成された情報である。そして、印刷ジョブには、印刷ジョブであることを示すヘッダー情報、出力するべき画像の情報及びプリントアウトに際して設定されるべきパラメータの情報を含む。
【００３３】
入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００３４】
画像処理装置１がスキャナとして動作する場合は、ユーザによるディスプレイパネル１４０の操作若しくは有線通信部１８０や無線通信部１９０を介して外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３５】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０、近距離通信Ｉ／Ｆ１９０を介して、入出力制御部１０３により外部の装置に送信される。
【００３６】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３７】
このような画像処理装置１の構成において、本実施形態に係る主制御部１０１は、モバイル端末２をユーザインタフェースとして用いるための機能を有する。図４を参照して、本実施形態に係る主制御部１０１に含まれる機能のうち、モバイル端末２をユーザインタフェースとして用いるための機能について説明する。
【００３８】
図４に示すように、本実施形態に係る主制御部１０１は、モバイル端末２をユーザインタフェースとして用いるための機能として、ログイン処理部１１１、ユーザ情報ＤＢ１１２、ホーム画面情報変換部１１３及び変換情報ＤＢ１１４を含む。ログイン処理部１１１は、ユーザ情報ＤＢ１１２に格納されている情報を参照し、画像処理装置１へのユーザのログイン処理を行う。即ち、ログイン処理部１１１が、入力された認証情報に基づいて利用者を認証する認証処理部として機能する。
【００３９】
図５は、ユーザ情報ＤＢ１１２に格納されている情報の例を示す図である。図５に示すように、本実施形態に係るユーザ情報ＤＢ１１２は、“ユーザＩＤ”、“ホーム情報”及び“パスワード”が関連付けられて記憶された情報である。“ユーザＩＤ”は、画像処理装置１のユーザを夫々識別するための識別情報であり、“パスワード”は、夫々のユーザＩＤによって識別されるユーザを認証するための認証情報である。このような情報は、例えば図２に示すＨＤＤ４０に格納されている。
【００４０】
画像処理装置１の操作パネルは、夫々のユーザ毎にカスタマイズ可能なように構成されており、図５に示す“ホーム情報”は、夫々のユーザ毎にカスタマイズされたホーム画面の情報を識別する識別子である。この“ホーム情報”によって識別されるホーム画面の情報は、図３に示すディスプレイパネル１４０に表示される画面に対応した情報である。即ち、ユーザ情報ＤＢ１１２が、利用者の情報及び画像処理装置１の操作において起点となる画面の情報が関連付けられた利用者情報を記憶している。また、図５に示すように登録されている“ホーム情報”が、画像処理装置１の操作において起点となる画面の情報である起点画面情報として用いられる。
【００４１】
ホーム画面情報変換部１１３は、変換情報ＤＢ１１４を参照し、上述した“ホーム情報”によって識別されるホーム画面の情報を、モバイル端末２に対応した情報に変換する。即ち、ホーム画面情報変換部１１３は、ディスプレイパネル１４０に対応した情報を、モバイル端末２に対応した情報に変換する情報変換部である。
【００４２】
本実施形態に係る画像処理装置１においては、上述したようにモバイル端末２が画像処理装置１のユーザインタフェースとして用いられる。そして、ディスプレイパネル１４０に対応した情報をモバイル端末２に対応した情報に変換することにより、モバイル端末２に表示される画面においても、ディスプレイパネル１４０に対して行われたカスタマイズを反映させることが可能となる。尚、上述したホーム画面の情報及び変換情報ＤＢ１１４に格納されている情報については後に詳述する。
【００４３】
次に、本実施形態に係るモバイル端末２の機能構成について、図６を参照して説明する。図６に示すように、本実施形態に係るモバイル端末２は、図２において説明したＬＣＤ６０、操作部７０に加えて、コントローラ２００、有線通信部２１０及び無線通信部２２０を含む。また、コントローラ２００は、入出力制御部２０１、操作制御部２０２、表示制御部２０３及びモバイル制御部２３０を含む。
【００４４】
有線通信部２１０は、モバイル端末２がネットワークを介して他の機器と通信するためのインタフェースであり、Ｅｔｈｅｒｎｅｔ（登録商標）やＵＳＢ等のインタフェースが用いられる。無線通信部２２０は、モバイル端末２が無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。有線通信部２１０、無線通信部２２０は、図２に示すＩ／Ｆ５０によって実現される。
【００４５】
コントローラ２００は、ソフトウェアとハードウェアとの組み合わせによって構成される。コントローラ２００は、モバイル端末２全体を制御する制御部である。入出力制御部２０１は、有線通信部２１０を介して入力される情報を取得すると共に、有線通信部２１０を介して他の機器に情報を送信する。また、入出力制御部２０１は、無線通信部２２０を介して入力される情報を取得すると共に、無線通信部２２０を介して他の機器に情報を送信する。
【００４６】
操作制御部２０２は、操作部７０に対するユーザによる操作内容の信号を取得し、モバイル制御部２３０等のモバイル端末２において動作するモジュールに入力する。表示制御部２０３は、モバイル制御部２３０のＧＵＩ（Ｇｒａｐｈｉｃａｌ  Ｕｓｅｒ  Ｉｎｔｅｒｆａｃｅ）等、モバイル端末２の状態をモバイル端末２の表示部であるＬＣＤ６０に表示させる。
【００４７】
モバイル制御部２３０は、コントローラ２００において各部に命令を与えることによりモバイル端末２全体の動作を制御する。モバイル制御部２３０は、ＯＳ等の基本ソフトウェア、ミドルウェア及び各種のアプリケーションによって構成される。本実施形態に係るモバイル制御部２３０に含まれる機能のうち、モバイル端末２のホーム画面の表示を制御する機能が、本実施形態の用紙に係る機能である。
【００４８】
図７（ａ）、（ｂ）は、本実施形態に係るモバイル端末２のＬＣＤ６０に表示されるホーム画面の例を示す図である。図７（ａ）、（ｂ）は、夫々モバイル端末２の角度によって切り換わる画面の態様を示している。図７（ａ）、（ｂ）に示すように、本実施形態に係るモバイル端末２のホーム画面においては、「メール」、「ワープロ」、「カレンダー」、「計算器」、「ブラウザ」等のように、モバイル端末２にインストールされたアプリケーションを起動するためのアイコンが表示されている。また、「ＸＸ区晴れ」や「Ｘ月Ｘ日Ｘ曜日」と表示されているように、ホーム画面においてユーザに情報を伝えるためのウィジェットが表示されている。
【００４９】
図７に示すようなホーム画面は、図８に示すような情報に基づいて構成されている。図８は、本実施形態に係るホーム画面の情報（以降、「ホーム画面構成情報」とする）の例を示す図である。図８に示すように、本実施形態に係るホーム画面構成情報においては、図７に示すホーム画面上の“表示位置”が“画面位置”、“Ｘ”、“Ｙ”といった情報によって特定される。ここで、“画面位置”とは、スライド操作によって切り替え可能な複数のホーム画面のいずれかを指定する情報であり、“Ｘ”、“Ｙ”は夫々の画面上における座標位置である。
【００５０】
そして、本実施形態に係るホーム画面構成情報においては、上述したように特定される“表示位置”毎に、その位置に表示させるべき“アイコン”及びそのアイコンの操作に応じて起動させる“プログラム”を識別するための情報が関連付けられている。このような情報に基づき、モバイル制御部２３０に含まれる機能のうち、ホーム画面の表示制御に係る機能が表示制御部２０３を制御してＬＣＤ６０にホーム画面を表示させる。尚、図８に示す「メール．ｐｎｇ」、「ワープロ．ｐｎｇ」等のアイコンの情報は、モバイル端末２に搭載されたＨＤＤ等の不揮発性の記憶媒体に格納されている。また、「メール．ａｐｋ」、「ワープロ．ａｐｋ」等のプログラム情報は、モバイル端末２にインストールされている。
【００５１】
ここで、モバイル制御部２３０に含まれる機能のうち、ホーム画面の表示に係る機能について図９を参照して説明する。図９に示すように、本実施形態に係るモバイル制御部２３０は、ホーム画面の表示に係る機能として、ホーム画面表示制御部２３１、ホーム画面情報記憶部２３２、ホーム画面情報書換部２３３及びホーム画面情報保存部２３４を含む。
【００５２】
ホーム画面表示制御部２３１は、図８において説明したホーム画面構成情報に基づいて図７（ａ）、（ｂ）に示すようなホーム画面を表示するための情報を生成し、表示制御部２０３に出力する画面表示処理部である。ホーム画面情報記憶部２３２は、図８において説明したホーム画面構成情報を、ホーム画面表示制御部２３１に参照させるために記憶する。ホーム画面情報記憶部２３２は、図２において説明したＲＡＭ２０やＨＤＤ４０において予め定められた記憶領域として設けられる。即ち、ホーム画面情報記憶部２３２が、画面情報記憶部として機能する。
【００５３】
本実施形態に係るモバイル端末２のホーム画面表示制御部２３１は、複数の異なるホーム画面構成情報から１つを選択してホーム画面を表示するための情報を生成、出力するような構成にはなっていない。即ち、１つのホーム画面構成情報を格納する記憶領域として確保されたホーム画面情報記憶部２３２を参照し、そこに格納されているホーム画面構成情報に基づいてホーム画面の表示情報を生成して出力する。
【００５４】
ホーム画面情報書換部２３３は、モバイル制御部２３０に新たに入力されたホーム画面構成情報を取得し、新たに取得したホーム画面情報に基づいて異なる態様のホーム画面をＬＣＤ６０に表示させるため、ホーム画面情報記憶部２３２が記憶しているホーム画面構成情報を上書きすることにより書き換える。その際、本実施形態に係るホーム画面情報書換部２３３は、ホーム画面情報記憶部２３２に記憶されていたホーム画面構成情報をコピーしてホーム画面情報保存部２３４に記憶させる。即ち、ホーム画面情報書換部２３３が画面情報管理部として機能する。
【００５５】
ホーム画面情報保存部２３４は、ホーム画面情報書換部２３３がホーム画面情報記憶部２３２のホーム画面構成情報の書き換えを行う際に、ホーム画面情報記憶部２３２に記憶されていたホーム画面構成情報を保存する記憶媒体である。ホーム画面情報保存部２３４も、ホーム画面情報記憶部２３２と同様に、図２において説明したＲＡＭ２０やＨＤＤ４０において予め定められた記憶領域として設けられる。
【００５６】
このような構成により、本実施形態に係るモバイル制御部２３０は、ＬＣＤ６０に表示されるホーム画面を異なる態様に切り替えることが可能である。図１０は、画像処理装置１の操作パネルとしてのモバイル端末２のホーム画面の例を示す図である。図１０に示すように、モバイル端末２のホーム画面として用いられる場合、「コピー」、「スキャナ」、「ファックス」、「プリンタ」等の、画像処理装置１に含まれる機能を制御するためのアプリケーションのアイコンが表示される。
【００５７】
図１１は、図１０に示すようなホーム画面を表示するためのホーム画面構成情報の例を示す図である。図１０に示すようなホーム画面を表示する場合、図１１に示すように、「コピー」、「スキャナ」、「ファックス」、「プリンタ」夫々のアイコン及びプログラムの情報の配置が、“表示位置”の情報に関連付けられている。
【００５８】
即ち、ホーム画面情報書換部２３３が、図１１に示すようなホーム画面構成情報を取得し、取得したホーム画面構成情報を用いてホーム画面情報記憶部２３２に記憶されているホーム画面構成情報を上書きすることにより、図７（ａ）、（ｂ）に示すような態様であったホーム画面が、図１１に示す態様に更新される。このような仕組みを用いることにより、モバイル端末２を画像処理装置１の操作パネルとして用いる場合であっても、画像処理装置１にログインしたユーザに応じたホーム画面の表示を実現することができる。
【００５９】
次に、本実施形態に係るシステムにおいて、ユーザ毎のホーム画面が表示される際の動作について説明する。図１２は、本実施形態に係るシステムにおいてユーザ毎のホーム画面が表示される際の動作を示すシーケンス図である。図１２に示す動作の前提として、モバイル端末２と画像処理装置１との間の接続は、有線通信または無線通信を介して確立している。図１２に示すように、先ずはモバイル端末２において、モバイル制御部２３０がユーザのログイン情報を受け付ける（Ｓ１２０１）。図１３に、モバイル端末２においてユーザがログイン情報を入力するためのＧＵＩ（Ｇｒａｐｈｉｃａｌ  Ｕｓｅｒ  Ｉｎｔｅｒｆａｃｅ）の例を示す。
【００６０】
図１３に示すようなＧＵＩはモバイル端末２のＧＵＩであるが、例えばホーム画面情報書換部２３３のＧＵＩとして構成される。モバイル端末２はログイン情報を取得すると、取得したログイン情報を画像処理装置１に送信する（Ｓ１２０２）。Ｓ１２０２におけるログイン情報の送信処理は、入出力制御部２０１の制御により、有線通信部２１０及び無線通信部２２０を介して実行される。
【００６１】
画像処理装置１に送信されたログイン情報は、入出力制御部１０３を介して主制御部１０１のログイン処理部１１１に入力される。ログイン処理部１１１は、モバイル端末２から送信されたログイン情報を取得すると、図５において説明したユーザ情報に登録されている“ユーザＩＤ”及び“パスワード”を参照して認証処理を行う（Ｓ１２０３）。
【００６２】
認証処理を完了したログイン処理部１１１は、図５に示すユーザ情報ＤＢ１１２のように、認証されたユーザＩＤに関連付けられている“ホーム情報”を取得し、ホーム画面情報変換部１１３に入力する。また、ログイン処理部１１１は、取得した“ホーム情報”に基づき、ディスプレイパネル１４０に表示させるための画面の情報を生成して操作表示制御部１０５に出力する。
【００６３】
ここで、上述したように、ユーザ情報ＤＢ１１２に登録されている“ホーム情報”は、図３に示すディスプレイパネル１４０に表示される画面の情報である。図１４に、ユーザ情報ＤＢ１１２に登録されているホーム情報の例を示す。図１４に示すように、ディスプレイパネル１４０に対応したホーム情報においては、“プログラム”の形式がモバイル端末２の場合と異なり、「コピー．ｏｂｊ」、「スキャナ．ｏｂｊ」といった形式の情報が指定されている。
【００６４】
図１５は、変換情報ＤＢ１１４に格納されている変換情報の例を示す図である。ホーム画面情報変換部１１３は、ログイン処理部１１１からホーム情報を取得すると、図１５に示すような変換情報を参照し、図１４に示すディスプレイパネル１４０に対応した情報を、図１１に示すようなモバイル端末２に対応した情報に変換する（Ｓ１２０４）。このように変換された情報が、モバイル端末２においてホーム画面を表示するための画面情報として用いられる。
【００６５】
尚、図１４、図１５の例においては、ディスプレイパネル１４０に対応した情報とモバイル端末２に対応した情報とで“表示位置”が一致している場合を例としている。換言すると、“表示位置”をキーとしてディスプレイパネル１４０に対応した情報とモバイル端末２に対応した情報とを関連付けている。この他、例えば“アイコン”の情報をキーとしてディスプレイパネル１４０に対応した情報とモバイル端末２に対応した情報とを関連付けても良い。
【００６６】
また、図１５の例では、ディスプレイパネル１４０に対応した情報の“表示位置”の情報形式とモバイル端末２に対応した情報の“表示位置”の情報形式とが同一である場合を例として説明したが、異なる情報形式を変換するような情報として、変換情報を構成することも可能である。
【００６７】
ホーム画面情報変換部１１３が、変換情報ＤＢ１１４を参照して情報の変換を完了すると、ログイン処理部１１１が、変換された情報をモバイル端末２のホーム画面情報書換部２３３宛てに送信する（Ｓ１２０５）。ここでは、ログイン処理部１１１が画面情報送信部として機能する。Ｓ１２０５において送信される情報は、図１１に示すようなホーム画面構成情報であるが、「コピー．ｐｎｇ」、「スキャナ．ｐｍｇ」等のアイコン画像の情報も併せて送信しても良い。この場合、モバイル端末２側にアイコン画像の情報を格納する必要が無くなる。
【００６８】
画像処理装置１からホーム画面構成情報を受信したホーム画面情報書換部２３３は、図９において説明したように、既にホーム画面情報記憶部２３２に格納されているホーム画面構成情報を読出し、ホーム画面情報保存部２３４に記憶させることにより保存する（Ｓ１２０６）。そして、画像処理装置１から受信したホーム画面構成情報を用いてホーム画面情報記憶部２３２に格納されているホーム画面情報を上書きする（Ｓ１２０７）。
【００６９】
このＳ１２０７の処理が完了することにより、ホーム画面表示制御部２３１は、上書きされて更新されたホーム画面更新情報に基づいてホーム画面の表示情報を生成して、表示制御部２０３に出力することとなる。これにより、モバイル端末２のＬＣＤ６０には、画像処理装置１を利用するためにログインしたユーザに応じてカスタマイズされたホーム情報が表示されることとなる。
【００７０】
このようにしてモバイル端末２のＬＣＤ６０に表示されたホーム画面は、ユーザの操作によりカスタマイズが可能である。ユーザの操作によってホーム画面がカスタマイズされた場合、ホーム画面情報書換部２３３は、ホーム画面情報記憶部２３２に格納されているホーム画面構成情報を、ユーザの操作に応じて更新する。
【００７１】
次に、図１２に示すような動作によって画像処理装置１にログインしてホーム画面を表示させたユーザがログアウトする場合の動作について図１６を参照して説明する。図１６に示すように、ユーザがモバイル端末２を操作することにより、モバイル制御部２３０がログアウト処理を受け付けると（Ｓ１６０１）、ホーム画面情報書換部２３３は、ホーム画面情報記憶部２３２に記憶されているホーム画面構成情報を読み出し、ログアウト通知と共に画像処理装置１に送信する（Ｓ１６０２）。
【００７２】
また、ホーム画面情報書換部２３３は、ホーム画面情報保存部２３４に格納されているホーム画面構成情報を読み出し（Ｓ１６０３）、ホーム画面情報記憶部２３２に格納されているホーム画面構成情報を上書きする（Ｓ１６０４）。これにより、モバイル端末２のホーム画面は、図１２の動作が実行される前の状態に戻る。
【００７３】
他方、モバイル端末２からログアウト通知及びホーム画面構成情報を受信した画像処理装置１においては、ログイン処理部１１１がそれらの情報を受信し、まずログアウト処理を行う（Ｓ１６０５）。そして、ログイン処理部１１１は、図１５において説明した変換情報を参照し、モバイル端末２から受信したホーム画面構成情報を、画像処理装置１のディスプレイパネル１４０に対応した情報に変換し（Ｓ１６０６）、Ｓ１６０５においてログアウトしたユーザに関連付けられた情報としてＨＤＤ４０等の記憶媒体に格納する（Ｓ１６０７）。
【００７４】
このような処理により、画像処理装置１のユーザ情報ＤＢ１１２に登録されている“ホーム情報”は、モバイル端末２に表示された状態においてユーザによってカスタマイズされた場合、そのカスタマイズが反映された状態に更新されて保存される。従って、次回、同一のユーザが画像処理装置１にログインしてモバイル端末２を操作パネルとして用いる場合、前回の使用時に実施したカスタマイズが反映された状態でホーム画面が表示されるため、ユーザの利便性を向上することができる。
【００７５】
尚、図１６のＳ１６０１においては、ユーザがログアウト操作を行うことを例として説明した。このようなユーザによる明示的な操作によるログアウトに限らず、例えば、モバイル端末２と画像処理装置１とが有線接続されている場合において、その接続ケーブルの切断や、無線接続されている場合のコネクションの切断等を検知することにより、Ｓ１６０１のログアウトの検知処理としても良い。
【００７６】
以上、説明したように、本実施形態に係るシステムにおいては、画像処理装置１を利用する可能性のあるユーザの情報が、夫々のユーザ毎にカスタマイズされたホーム画面の情報に関連付けられて管理されている。そして、ユーザが装置にログインした際には、ログインしたユーザに関連付けられたホーム画面の情報がモバイル端末２に送信される。モバイル端末２においては、画像処理装置１からホーム画面の情報を受信すると、ホーム画面情報記憶部２３２の情報を上書きすることにより、ホーム画面の表示を切り替える。このような処理により、携帯端末を画像処理装置の操作部として用いる場合において、操作の起点となる画面の切り替えを容易化することができる。
【００７７】
また、ホーム画面情報記憶部２３２に記憶されているホーム画面構成情報を上書きする際、元々格納されていたホーム画面構成情報は、ホーム画面情報保存部２３４に一次的に保存され、ユーザがログアウトした際にはホーム画面情報記憶部２３２に書き戻される。
【００７８】
従って、モバイル端末２が画像処理装置１の操作パネルとして専用に設けられている場合には、ユーザがログインする前の共通のホーム画面の情報が保存され、ユーザのログアウトによって共通のホーム画面に戻すことが可能である。また、モバイル端末２が、個々のユーザが所有する端末である場合には、夫々のユーザがモバイル端末２を通常通り使う際のホーム画面の情報が保存され、画像処理装置１からのログアウトによって通常のホーム画面に戻すことが可能である。
【００７９】
尚、上記実施形態においては、ユーザ情報ＤＢ１１２に登録されているのは、画像処理装置１のディスプレイパネル１４０に対応したホーム画面の情報であり、モバイル端末２へのホーム画面構成情報の送信に際しては、ホーム画面情報変換部１１３による情報の変換を要する場合を例として説明した。しかしながら、これはディスプレイパネル１４０の存在を前提とした場合である。即ち、ディスプレイパネル１４０を省略することも可能であり、その場合には、モバイル端末２に対応したホーム画面構成情報をユーザ情報ＤＢ１１２に登録することにより、ホーム画面情報変換部１１３及び変換情報ＤＢ１1４を省略することが可能である。
【００８０】
また、上記実施形態においては、図１２において説明したように、モバイル端末２に表示されるＧＵＩを介してログイン情報を入力して画像処理装置１に送信する場合を例として説明した。しかしながら、装置の種類によっては、非接触式のカードリーダが設けられており、ユーザに個別に配布されているＩＣカードをカードリーダに読み取らせることによってログイン処理を行うような態様もあり得る。この場合、図１２のＳ１２０１及びＳ１２０２の処理は省略可能である。
【００８１】
また、上述したように、図１３に示すようなログイン情報の入力画面を用いる場合、そのＧＵＩは、アプリケーションのＧＵＩとして構成する場合の他、ホーム画面上に表示されるウィジェットとして構成することも可能である。そのような態様により、ユーザは画像処理装置１へのログイン処理に際してアプリケーションの起動操作等を行う必要がなくなり、よりユーザの利便性を向上することができる。
【００８２】
また、上記実施形態においては、図４において説明したように、画像処理装置１においてユーザ情報ＤＢ１１２が管理されており、主制御部１０１の位置機能としてのログイン処理部１１１が、ホーム画面構成情報を管理する場合を例として説明した。この他、図１７に示すように、画像処理装置１及びモバイル端末２からネットワークを介してアクセス可能なサーバ３を設け、サーバ３においてユーザのログイン処理やホーム画面構成情報の管理を行うようにしても良い。
【００８３】
図１７に示す態様の場合、図１２に示す動作は、モバイル端末２とサーバ３との間で実行される。即ち、図１２のＳ１２０３〜Ｓ１２０５までの処理はサーバ３において実行される。この場合においても、モバイル端末２と画像処理装置１との間の接続が確立している前提であることは同様である。このような処理により、複数の画像処理装置１に対して、ユーザ毎に共通のホーム画面を表示させることが可能となる。
【００８４】
また、上記実施形態においては、モバイル端末２を画像処理装置１の操作部として用いる例について説明したが、画像処理装置１本体とは独立した基本ソフトウェアによって制御される情報処理端末を画像処理装置１本体の操作部としてのみ機能するように画像処理装置１本体に有線で固定的に取り付けられるものであっても構わない。
【符号の説明】
【００８５】
１  画像処理装置
２  モバイル端末
３  サーバ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１１１  ログイン処理部
１１２  ユーザ情報ＤＢ
１１３  ホーム画面情報変換部
１１４  変換情報ＤＢ
１２０  スキャナユニット
１３０  排紙トレイ
１４０  ディスプレイパネル
１５０  給紙テーブル
１６０  プリントエンジン
１７０  排紙トレイ
１８０  有線通信部
１９０  無線通信部
２００  コントローラ
２０１  入出力制御部
２０２  操作制御部
２０３  表示制御部
２１０  有線通信部
２２０  無線通信部
２３０  モバイル制御部
２３１  ホーム画面表示制御部
２３２  ホーム画面情報記憶部
２３３  ホーム画面情報書換部
２３４  ホーム画面情報保存部
【先行技術文献】
【特許文献】
【００８６】
【特許文献１】特開２０１１−６６８５０号公報
【図１】
2014154098.tif 000003
【図２】
2014154098.tif 000004
【図３】
2014154098.tif 000005
【図４】
2014154098.tif 000006
【図５】
2014154098.tif 000007
【図６】
2014154098.tif 000008
【図７】
2014154098.tif 000009
【図８】
2014154098.tif 000010
【図９】
2014154098.tif 000011
【図１０】
2014154098.tif 000012
【図１１】
2014154098.tif 000013
【図１２】
2014154098.tif 000014
【図１３】
2014154098.tif 000015
【図１４】
2014154098.tif 000016
【図１５】
2014154098.tif 000017
【図１６】
2014154098.tif 000018
【図１７】
2014154098.tif 000019